(57)【要約】【課題】前方から後方へかけ、床面の高さが上昇する傾斜が付いた既存の観客席の通路方向に隣接する座席間にテーブルを新たに設置するに当たり、既存の座席間距離を変更しながら、テーブルを新たに設置することを可能にする。【解決手段】前方から後方へかけ、既存の旧床部の上面に階段状に高さが上昇する傾斜が付いた既存の観客席１において、通路方向に隣接する少なくとも３段の旧床部２上にテーブル６を新たに設置しながら、座席の配置を変更する。通路方向に隣接する３段の旧床部２の上面の内、前方側の２段の旧床部２の上面上にテーブル６を設置すると共に、前方側２段の旧床部２、２の上面の内、後方側の旧床部２の上面上の、テーブル６の前方側に新たに新座席７を設置する。【選択図】図２
2020139281.tif 000002
【特許請求の範囲】
【請求項１】
前方から後方へかけ、既存の旧床部の上面に階段状に高さが上昇する傾斜が付いた既存の観客席において、通路方向に隣接する少なくとも３段の前記旧床部上にテーブルを新たに設置しながら、座席の配置を変更する座席変更方法であり、
通路方向に隣接する前記３段の前記旧床部の上面の内、前方側の２段の前記旧床部の上面上に前記テーブルを設置すると共に、前記前方側２段の前記旧床部の上面の内、後方側の前記旧床部の上面上の、前記テーブルの前方側に新たに新座席を設置することを特徴とする観客席の座席変更方法。
【請求項２】
前記テーブルは通路方向前方側に隣接する前記新座席、もしくは既存の旧座席との間の空間を仕切る仕切り板と、この仕切り板の通路方向後方側に一体化し、通路方向後方側へ張り出す床板を備えていることを特徴とする請求項１に記載の観客席の座席変更方法。
【請求項３】
前記床板はその床板の後方側の旧床部の前面に突き当たるだけの、または突き当たる程度の幅を持っていることを特徴とする請求項２に記載の観客席の座席変更方法。
【発明の詳細な説明】
【技術分野】
【０００１】
本発明は前方から後方へかけ、床面の高さが上昇する傾斜が付いた既存の観客席の通路方向に隣接する座席間にテーブルを新たに設置しながら、座席の配置を変更する観客席の座席変更方法に関するものである。
【背景技術】
【０００２】
前方から後方へかけて床面の高さが上昇する傾斜が付き、階段状に形成されている既存の観客席の通路方向に隣接する座席間にテーブルを新たに設置しようとする場合、通路方向に隣接する複数段分の座席を、その数より少ない数の座席に配置換えをすることになる（特許文献１参照）。座席が固定されている躯体自体の形態を変更することができないことに因る。前方は観客が向くフィールド側等を、後方は反対側を指す。
【０００３】
特許文献１では通路方向に一定距離を置いて段差が付きながら配列する床面間距離と、隣接する座席間距離が等しい関係にある既存の観客席から、座席間距離を一定に維持しながら床面間距離より座席間距離が大きくなる関係の観客席に変更している。この例では既存の床面が、新たに設置された座席に観客が着座したときの足置きになるが、新たな隣接する座席間の間隔と床面間の間隔に規則性がなく、座席間の間隔と床面間の間隔が同一でないため、床面が足置きとして使用できなくなることがある（段落００１８）。
【０００４】
特許文献１では新たな座席の設置後の隣接する座席間距離を既存の座席間距離より拡大させることで、新たな座席間に余裕のある空間を確保しているが、新たな座席間の間隔と床面間の間隔に規則性がないために、テーブルを新たに設置しようとした場合に、テーブルを規則的に設置することが難しい。
【０００５】
通路方向に隣接する座席間に、水平軸回りに回転可能に支持された、増設用座席が一体化した通路板の状態を切り換えることにより隣接する常用座席間に、増設用座席を出し入れ可能にする方法もある（特許文献２参照）。
【先行技術文献】
【特許文献】
【０００６】
【特許文献１】特許第５１６６３０１号公報（請求項１、請求項２、段落００１３〜００１９、図１、図２）
【特許文献２】特開平７−２７９４５７号公報（段落００１２〜００１４、図４〜図７）
【発明の概要】
【発明が解決しようとする課題】
【０００７】
しかしながら、特許文献２では既存の座席間距離を変更することにはならず、テーブルを新たに設置することに対応することにもならない。
【０００８】
本発明は上記背景より、既存の座席間距離を変更しながら、テーブルを新たに設置することに対応可能な観客席の座席変更方法を提案するものである。
【課題を解決するための手段】
【０００９】
請求項１に記載の観客席の座席変更方法は、前方から後方へかけ、既存の旧床部の上面に階段状に高さが上昇する傾斜が付いた既存の観客席において、通路方向に隣接する少なくとも３段の前記旧床部上にテーブルを新たに設置しながら、座席の配置を変更する座席変更方法であり、
通路方向に隣接する前記３段の前記旧床部の上面の内、前方側の２段の前記旧床部の上面上に前記テーブルを設置すると共に、前記前方側２段の前記旧床部の上面の内、後方側の前記旧床部の上面上の、前記テーブルの前方側に新たに新座席を設置することを構成要件とする。
【００１０】
「前方」は前記のように観客が向く例えばフィールド側、またはステージ側を、「後方」は反対側を指す。「前方から後方へかけ、旧床部上面の高さが上昇する傾斜が付く」とは、前方側から後方側へかけては上りになり、反対側へかけては下りになることを言う。「通路方向」は階段状の旧床部２の上面を昇降する方向である。旧床部２の上面は旧床面３である。以下では旧床部２の上面を旧床面３とも言う。観客席は陸上競技場、サッカー場等、屋外の、または屋内の競技場用の観客席と屋内の劇場用の観客席がある。
【００１１】
図１に示すように通路方向に隣接する３段の旧床面３、３間の段差ｈと、旧床部２の上面（旧床面３）の幅ｗは基本的には等しいが、必ずしもその必要はない。旧床面３の幅は基本的に旧床部２の幅に等しい。以下では旧床部２上面（旧床面３）の幅を旧床部２の幅とも言う。「旧床部の上面の幅」は旧床面３の通路方向の奥行きである。
【００１２】
「通路方向に配列する少なくとも３段の旧床部２」は、新たにテーブル６を設置する対象がこの通路方向に連続する少なくとも３段の既存の旧床部２であり、この３段の旧床部２がテーブル６の設置後に新たな２段分の新床部８（新規の観客席９）に変更されることを意味する。
【００１３】
請求項１における「座席の配置を変更する」とは、元々、旧床部２に設置（支持）されていた旧座席５、５の配置状態を、新たに設置された新座席７と、撤去されずに新座席７として利用される旧座席５を含め、新床部８への変更後の新座席７の配置状態に変更することを言う。請求項１における「新座席」は新座席７として利用される既存の旧座席５を含む。
【００１４】
連続する３段の各旧床部２の幅ｗが等しい場合で言えば、１段分の旧床部２の幅ｗの３倍分の寸法３ｗは、新たな２段分の新床部８の幅２Ｗであり（３ｗ＝２Ｗ）、１段分の新床部８の幅Ｗは旧床部２の幅ｗより大きく、２倍より小さい（ｗ＜Ｗ＜２ｗ）。２段の各新床部８の幅Ｗが等しい場合（Ｗ１＝Ｗ２）には、その幅Ｗは旧床部２の幅ｗの１．５倍になるが（Ｗ＝１．５ｗ）、２段分の新床部８の幅Ｗが相違する場合（Ｗ１≠Ｗ２）には新床部８の幅Ｗ１、Ｗ２が旧床部の幅ｗより大きく、２倍より小さい（ｗ＜Ｗ１（Ｗ２）＜２ｗ）。例えばｗ＝８００ｍｍで、Ｗ１＝Ｗ２であれば、Ｗ１＝Ｗ２＝１２００ｍｍになる。
【００１５】
いずれの場合も、新床部８の幅Ｗが旧床部２の幅ｗより大きいから、この幅の差（Ｗ−ｗ）を利用することで、新規の観客席９への変更後の隣接する２段の新床部８、８の新座席７、７間にテーブル６を設置する空間が確保される。ここで言う「観客席９に変更後の新座席７」は前記のように実際には新座席７に変更されないままの旧座席５を含む。
【００１６】
このため、テーブル６を設置することに伴い、新座席７、または交換されずに新座席として利用される場合の旧座席５に着座した観客の足とテーブル６との間が狭まるようなことが回避される。結果として既存の旧座席５、５間距離を変更しながらも、観客はテーブル６を新たに設置することによる着座状態で受ける閉塞感から解放され、着座状態での開放感と安心感が確保される。
【００１７】
３段分の旧床部２の幅ｗの合計３ｗが、２段分の新床部８の幅Ｗの合計２Ｗであること（３ｗ＝２Ｗ）からは、以下のことも言える。図１に示すように例えば通路方向に配列する３段の旧床部２の内、最前段の旧床部２上に設置されるテーブル６に床板６２を一体化させたときに（請求項２）、その床板６２の上面とその前段側の旧床面３との間の段差Ｈ１、及びその床板６２の上面とその後段側の旧床面３との間の段差Ｈ２を座席変更前の旧床面３、３間の段差ｈの１．５倍にすることもできる。その場合、Ｈ１＝Ｈ２である。このことは、相対的に後段側の新座席７に着座する観客の視界が前段側の新座席７に着座する観客によって妨げられにくくなり、下方への視界が広がることを意味する。
【００１８】
テーブル６は通路方向に隣接する３段の旧床部２の旧床面３の内、前方側の２段の旧床部２、２の旧床面３、３上に設置され、固定される。図２に示すように隣接する３段の旧床部２の旧床面３の内、最前段の旧床部２の旧床面３上に設置されるテーブル６（後述の仕切り板６１）の脚部が旧床面３の最前部に揃えられれば、最前段の旧床部２の旧床面３の幅を新床部８として有効に利用することが可能になる。
【００１９】
前記の隣接する３段の旧床部２においては、例えば最前段の旧床部２の上に後述の床板６２が設置（配置）されることで、新床部８に変更される。このことから、この新床部８を通路（足置き場）として利用する観客用に、前方側２段の旧床部２の旧床面３の内、後方側（中段）の旧床部２の旧床面３上の、テーブル６の前方側に新座席７が設置される。隣接する３段の旧床部２の旧床面３の内、最後段の旧床面３上に設置されている旧座席５は新たに設置されるテーブル６の設置には影響しないため、座席変更後もそのまま利用可能である。但し、旧座席５は新たな新座席７に交換される自由もある。
【００２０】
隣接する３段の旧床部２の旧床面３の内、最前段の旧床部２の旧床面３上に設置されるテーブル６は新たに設置される新座席７に着座する観客用の通路、または足置きの設置の目的に利用することもできる。例えばテーブル６がその通路方向前方側に隣接する新座席７、もしくは既存の旧座席５との間の空間を仕切る仕切り板６１と、仕切り板６１の通路方向後方側に一体化し、通路方向後方側へ張り出す床板６２を備えることで（請求項２）、床板６２を新たな通路（床面）、または足置きとして利用可能になる。「一体化」とは、床板６２が仕切り板６１に一体的に形成されている場合と接合（固定）の結果、一体化する場合を含む。「既存の旧座席５」は前記のように新座席７として利用される旧座席５を指す。
【００２１】
この場合、床板６２が後方側の旧床部２の前面（側面）４に突き当たるだけの、または突き当たる程度の幅を持てば（請求項３）、床板６２は新たな通路（床面）として利用可能になる。「突き当たる程度の幅」とは、床板６２が旧床部２の前面４に突き当たらず、床板６２と旧床部２との間に隙間が生じることがあっても、その隙間が通行、または足置きとしての使用時に支障がない程度の大きさであることを言う。床板６２と旧床部２との間に隙間が生じる場合、床板６２の旧床部２側はその下の旧床部２に支持材等を介して支持される。
【００２２】
請求項３では新座席７を設置した旧床面３と同一の旧床面３上に設置した新たなテーブル６の床板６２を、後方側に隣接する（最後段の）旧床部２の旧床面３の高さに等しくすれば、床板６２を旧床部２の旧床面３に連続させ、新床部８の新たな上面（新床面）を平坦に形成し、通路（足置き場）の幅を拡大することが可能になる。
【発明の効果】
【００２３】
通路方向に隣接する少なくとも３段の旧床部をテーブルの設置後に新たな２段分の新床部に変更するため、新床部の幅Ｗと旧床部の幅ｗの差（Ｗ−ｗ）を利用することで、隣接する２段の新床部の新座席間にテーブルを設置する空間を確保することができる。従ってテーブルの設置に伴い、新座席に着座した観客の足とテーブル間が狭まるようなことがなくなり、既存の旧座席間距離を変更しながらも、観客はテーブルを新たに設置することによる着座状態での閉塞感から解放され、着座状態での開放感と安心感を確保することができる。
【図面の簡単な説明】
【００２４】
【図１】通路方向に隣接しながら配列する少なくとも３段の旧床部の上面の幅が等しい既存の観客席を示した縦断面図である。
【図２】３段の旧床部をテーブルの設置後に新たな２段分の新床部に変更した後の観客席を示した縦断面図である。
【発明を実施するための形態】
【００２５】
図１は前方から後方へかけ、既存の旧床部２の上面（旧床面３）に階段状に高さが上昇する傾斜が付いた既存の観客席１を示す。この例では通路方向に隣接する複数組の旧床面３、３間の各段差ｈと、通路方向に隣接しながら配列する少なくとも後方側３段の旧床部２の旧床面３の幅ｗが等しい場合の例を示しているが、各段差ｈと旧床面３の幅ｗは必ずしも等しいとは限らない。「通路方向」は旧床部２が配列する方向である。
【００２６】
図２は図１に示す各旧床部２に支持されていた旧座席５を新座席７に配置換えした後の様子を示す。旧床部２を図１に示すように連続する方向、または長さ方向（通路方向に直交する方向）に見たとき、各旧座席５は各旧床部２単位で支持されている。図１では旧床部２の前面（前方側（前段側）の側面）４に、その前方側の旧床部２上に着座する観客者用の旧座席５が支持（固定）されている（旧座席５がその後段の旧床部２の前面４に固定されている）場合の例を示しているが、旧座席５はその直下の旧床部２の旧床面３上に支持されている場合もある。
【００２７】
図面では隣接する４段の各旧床部２（旧床面３）上に旧座席５が配置されているが、この内、上記のように後方側（後段側）の隣接する３段が配置換えの対象になっている。言い換えれば、図２では図１に示す４段の内、後方側の隣接する３段が１区間の単位になり、図２に示す２段の新床部８に変更されているため、図１に示す４段の内、最前段の旧床部２は最後段の旧床部２と同様に変更される。以下では図１に示す４段の内、１区間の単位になる後方側の３段を「隣接する３段の旧床部２」と言う。図２では１区間単位になる隣接する３段の旧床部２の内、中段の旧床部２上と前段の旧床部２上に配置されていた旧座席５を撤去し、中段の旧床部２の旧床面３上に新座席７を設置して固定している。
【００２８】
図１、図２に示すように隣接する３段の旧床部２の内、旧座席５、５を撤去した前方側の２段の旧床部２、２の旧床面３、３上にテーブル６、６が新たに設置され、固定される。但し、前記のように３段分の旧床部２の幅ｗの和が２段分の新床部８の幅Ｗの和になる関係から（３ｗ＝２Ｗ）、隣接する３段の旧床部２の内、最後段の旧床部２においては新床部８に変更されたとき、旧床面３の全幅を新床部８の新床面として利用しながら、テーブル６の一部である後述の床板６２の幅を新床部８の新床面の一部として利用可能である。一方、最前段の旧床部２上ではテーブル６の床板６２の幅が新床部８の新床面の幅になるため、各旧床面３上に設置される各テーブル６の旧床面３の幅方向の設置位置と各床板６２の幅は相違する。
【００２９】
また前方側２段の旧床部２、２の旧床面３、３の内、後方側（３段の内の中段）の旧床面３上の、テーブル６の前方側に新たに新座席７が設置される。中段の旧床部２の旧床面３上に設置された新座席７は通路方向にテーブル６、６に挟まれる。３段の内の最前段の旧床部２の旧床面３上の空間を中段の旧床面３上に設置された新座席７に着座する観客用の通路として利用することに因る。この結果、３段の旧床部２がテーブル６の設置後に新たな２段分の新床部８、８に変更され、新規の観客席９が形成される。
【００３０】
図２では３段の内の最後段の旧床部２の旧床面３を通路として利用する観客用の旧座席５を残しているが、新座席７に置き換えることもできる。３段の内の最前段の旧床部２上に設置されたテーブル６の前段側の旧床部２に対しては３段の内の最後段の旧床部２と同様のことが繰り返されるから、その旧床部２上に配置された旧座席５も残されているが、新座席７に置き換えられることもある。
【００３１】
図面の例では図１に示すように少なくとも３段の旧床部２の旧床面３の幅ｗが８００ｍｍの場合に、図２に示すように１２００ｍｍの幅Ｗを持つ２段の新床部８に変更する場合の例を示しているが、全新床部８の幅が同一であるとは限られない。
【００３２】
テーブル６は変更（配置換え）後の通路方向前方側に隣接する新座席７と旧座席５、も新座席７との間の空間を仕切る仕切り板６１と、仕切り板６１の通路方向後方側に一体化し、通路方向後方側へ張り出す床板６２を備え、場合により図１に示すように仕切り板６１の上部には飲料物等を置くための天板６３が固定される。テーブル６は鋼材、コンクリート、プラスチック、木材等から製作される。
【００３３】
図２では隣接する３段の旧床部２の内、最前段の旧床部２の前面４にテーブル６の仕切り板６１の表面である前段側の面を揃えて設置した場合の例を示している。この例では特に３段の最前段の旧床部２上に、通路等として利用可能な床板６２付きのテーブル６を設置し、その通路方向前後に隣接する旧床部２、２の旧床面３を新床部８としてそのまま利用している。
【００３４】
このことから、テーブル６が設置された旧床部２上に位置する床板６２の上面とその前方側（前記４段の内の最前段）の旧床部２の旧床面３との間のレベル差（段差）Ｈ１と、床板６２の上面とその２段、後方側（前記４段の内の最後段）の旧床部２の旧床面３との間のレベル差（段差）Ｈ２が等しくなるように、前記３段の内の最前段の旧床部２上に設置されたテーブルの床板６２の位置（高さ）を調整している。
【００３５】
このように座席変更後の図２では新規の観客席９として隣接する３段の新床部８の内、の前方側で隣接する２段の新床部８、８をなす旧床面３と上記床板６２上面との間の段差Ｈ１と、後方側で隣接する２段の新床部８、８をなす床板６２上面と旧床面３との間の段差Ｈ２を等しくしている。このことには、隣接する２段の新座席７と旧座席５の内、相対的に後方側の座席に着座する観客の視界を一定にすることができる意味がある。相対的に後方側の座席に着座する観客の視界は実際には、通路方向に隣接する座席の上面間の段差で決まる。
【００３６】
仕切り板６１は例えば仕切り板６１の下端部に固定された、図示しないベースプレート等においてその下に位置する旧床部２に固定される。ベースプレートはボルトやアンカー、またはそれに加え、モルタル、接着剤等の充填材等を用いて旧床部２に固定される。テーブル６の各部（板部分）が板状の場合、仕切り板６１の背面側である後段側の面、床板６２の下面、及び天板６３の下面には必要により各板６１〜６３の剛性を確保するための補強材（補強板）６４が固定される。
【００３７】
床板６２は基本的にはその床板６２の後方側の旧床部２の前面４に突き当たるだけの、または突き当たる程度の幅を持つ。床板６２と後方側の旧床部２の前面との間の隙間が大きければ、足を挟む危険性があることによる。床板６２の後方側の旧床部２の前面４寄りの部分の下方には直下の旧床部２の旧床面３に到達する脚部等が接続され、脚部を介して旧床部２に支持される。
【００３８】
図２ではまた、隣接する３段の旧床部２の内、中段の旧床部２上に、最前段の床板６２を通路として利用する観客用の新座席７を設置し、同じ中段の旧床部２上に、最後段の旧床部２を通路として利用する観客用の通路、または足置きとして利用可能な床板６２を持つテーブル６を設置し、固定している。旧座席５は旧床部２の後段の旧床部２の前面に固定されている。
【符号の説明】
【００３９】
１……既存の観客席、
２……旧床部、３……旧床面（旧床部の上面）、４……前面、
５……旧座席、
６……テーブル、６１……仕切り板、６２……床板、６３……天板、６４……補強材、
７……新座席、８……新床部、９……新規の観客席。
【図１】
2020139281.tif 000003
【図２】
2020139281.tif 000004